(57)【要約】  本発明は、ＷＩ−ＦＩネットワーク接続方法、装置、プログラム、及び記録媒体に関し、通信技術分野に属する。当該方法は、第１端末が送信した無認証接続要求を受信し、無認証接続要求中に付加された端末ＩＤに基づいて第１端末が無認証条件を満たすか否かを特定するステップと、第１端末が無認証条件を満たす場合、第１端末に接続要求応答を送信するステップと、第１端末が接続要求応答に基づいて送信した接続要求を受信し、接続要求に基づいて第１端末をＷＩ−ＦＩネットワークに接続させるステップとを含む。本発明は、入力操作の不便な端末に、無認証の方法によってＷＩ−ＦＩネットワークに接続できるようにすることにより、接続の効率を改善できるし、操作の複雑性を低下させることができる。【選択図】図１
2016537904.tif 000002
【特許請求の範囲】
【請求項１】
第１端末が送信した無認証接続要求を受信し、前記無認証接続要求中に付加された端末ＩＤに基づいて前記第１端末が無認証条件を満たすか否かを特定するステップと、
前記第１端末が無認証条件を満たす場合、前記第１端末に接続要求応答を送信するステップと、
前記第１端末が前記接続要求応答に基づいて送信した接続要求を受信し、前記接続要求に基づいて前記第１端末をＷＩ−ＦＩネットワークに接続させるステップと
を含むことを特徴とするＷＩ−ＦＩネットワーク接続方法。
【請求項２】
前記第１端末が送信した無認証接続要求を受信する前に、
第２端末が、第１端末を無認証接続させるための認定権限を有するように設定するステップ
を、さらに含むことを特徴とする請求項１に記載のＷＩ−ＦＩネットワーク接続方法。
【請求項３】
前記無認証接続要求中に付加された端末ＩＤに基づいて前記第１端末が無認証条件を満たすか否かを特定するステップは、
前記第２端末が送信した、無認証接続させるための認定要求を受信するステップと、
前記第２端末に、前記第１端末の端末ＩＤが含まれた認定待ち端末リストを返送するステップと、
前記第２端末が送信した、前記第２端末によって選定された端末ＩＤが付加された認定情報を受信するステップと、
前記認定情報中に付加された前記第２端末によって選定された端末ＩＤと、前記無認証接続要求中に付加された端末ＩＤとが同一である場合、前記第１端末が無認証条件を満たすと認定するステップと
を含むことを特徴とする請求項２に記載のＷＩ−ＦＩネットワーク接続方法。
【請求項４】
前記第１端末が無認証条件を満たすと認定した後、
無認証端末リスト中に前記第１端末を記録し、前記無認証端末リスト中での前記第１端末の存続期間を設定するステップ
を、さらに含むことを特徴とする請求項３に記載のＷＩ−ＦＩネットワーク接続方法。
【請求項５】
前記接続要求に基づいて前記第１端末をＷＩ−ＦＩネットワークに接続させるステップは、
前記第１端末が前記無認証端末リスト中に存在するか否かを特定するステップと、
前記第１端末が前記無認証端末リスト中に存在する場合、前記接続要求に基づいて前記第１端末をＷＩ−ＦＩネットワークに接続させるステップと
を含むことを特徴とする請求項４に記載のＷＩ−ＦＩネットワーク接続方法。
【請求項６】
前記無認証端末リスト中での前記第１端末の存続期間を設定した後に、
前記存続期間に達した場合、前記第１端末に対応する記録を前記無認証端末リスト中から削除するステップ
を、さらに含むことを特徴とする請求項４に記載のＷＩ−ＦＩネットワーク接続方法。
【請求項７】
ネットワーク接続機器に、自端末の端末ＩＤが付加された無認証接続要求をブロードキャスティングするステップと、
前記ネットワーク接続機器が前記無認証接続要求に基づいて自端末が無認証条件を満たすと特定した後に送信した接続要求応答を受信するステップと、
前記接続要求応答に基づいて前記ネットワーク接続機器に接続要求を送信して、ネットワーク機器に自端末をＷＩ−ＦＩネットワークに接続させるようにするステップと
を含むことを特徴とするＷＩ−ＦＩネットワーク接続方法。
【請求項８】
第１端末が送信した無認証接続要求を受信するための第１受信モジュールと、
前記無認証接続要求中に付加された端末ＩＤに基づいて前記第１端末が無認証条件を満たすか否かを特定するための特定モジュールと、
前記第１端末が無認証条件を満たす場合、前記第１端末に接続要求応答を送信するための第１送信モジュールと、
前記第１端末が前記接続要求応答に基づいて送信した接続要求を受信するための第２受信モジュールと、
前記接続要求に基づいて前記第１端末をワイヤレスフィディリティーＷＩ−ＦＩネットワークに接続させるための接続モジュールと
を備えることを特徴とするＷＩ−ＦＩネットワーク接続装置。
【請求項９】
第２端末が、第１端末を無認証接続させるための認定権限を有するように設定するための設定モジュール
を、さらに備えることを特徴とする請求項８に記載のＷＩ−ＦＩネットワーク接続装置。
【請求項１０】
前記特定モジュールは、
前記第２端末が送信した、無認証接続させるための認定要求を受信するための第１受信ユニットと、
前記第２端末に、前記第１端末の端末ＩＤが含まれた認定待ち端末リストを返送するための送信ユニットと、
前記第２端末が送信した、前記第２端末によって選定された端末ＩＤが付加された認定情報を受信するための第２受信ユニットと、
前記認定情報中に付加された前記第２端末によって選定された端末ＩＤと、前記無認証接続要求中に付加された端末ＩＤとが同一である場合、前記第１端末が無認証条件を満たすと認定するための第１特定ユニットと
を備えることを特徴とする請求項９に記載のＷＩ−ＦＩネットワーク接続装置。
【請求項１１】
無認証端末リスト中に前記第１端末を記録し、前記無認証端末リスト中での前記第１端末の存続期間を設定するための記録モジュール
を、さらに備えることを特徴とする請求項１０に記載のＷＩ−ＦＩネットワーク接続装置。
【請求項１２】
前記接続モジュールは、
前記第１端末が前記無認証端末リスト中に存在するか否かを特定するための第２特定ユニットと、
前記第１端末が前記無認証端末リスト中に存在する場合、前記接続要求に基づいて前記第１端末をＷＩ−ＦＩネットワークに接続させるための接続ユニットと
を備えることを特徴とする請求項１１に記載のＷＩ−ＦＩネットワーク接続装置。
【請求項１３】
前記存続期間に達した場合、前記第１端末に対応する記録を前記無認証端末リスト中から削除するための削除モジュール
を、さらに備えることを特徴とする請求項１１に記載のＷＩ−ＦＩネットワーク接続装置。
【請求項１４】
ネットワーク接続機器に、自端末の端末ＩＤが付加された無認証接続要求をブロードキャスティングするためのブロードキャスティングモジュールと、
前記ネットワーク接続機器が前記無認証接続要求に基づいて自端末が無認証条件を満たすと特定した後に送信した接続要求応答を受信するための第３受信モジュールと、
前記接続要求応答に基づいて前記ネットワーク接続機器に接続要求を送信して、ネットワーク機器に自端末をＷＩ−ＦＩネットワークに接続させるようにするための第２送信モジュールと
を備えることを特徴とするＷＩ−ＦＩネットワーク接続装置。
【請求項１５】
プロセッサと、
前記プロセッサが実行可能な命令を記憶するためのメモリと
を備え、
前記プロセッサは、
第１端末が送信した無認証接続要求を受信し、前記無認証接続要求中に付加された端末ＩＤに基づいて前記第１端末が無認証条件を満たすか否かを特定し、
前記第１端末が無認証条件を満たす場合、前記第１端末に接続要求応答を送信し、
前記第１端末が前記接続要求応答に基づいて送信した接続要求を受信し、前記接続要求に基づいて前記第１端末をワイヤレスフィディリティーＷＩ−ＦＩネットワークに接続させるように構成される
ことを特徴とするＷＩ−ＦＩネットワーク接続装置。
【請求項１６】
プロセッサと、
前記プロセッサが実行可能な命令を記憶するためのメモリとを備え、
前記プロセッサは、
ネットワーク接続機器に、自端末の端末ＩＤが付加された無認証接続要求をブロードキャスティングし、
前記ネットワーク接続機器が前記無認証接続要求に基づいて自端末が無認証条件を満たすと特定した後に送信した接続要求応答を受信し、
前記接続要求応答に基づいて前記ネットワーク接続機器に接続要求を送信して、ネットワーク機器に自端末をＷＩ−ＦＩネットワークに接続させるようにするように構成される
ことを特徴とするＷＩ−ＦＩネットワーク接続装置。
【発明の詳細な説明】
【技術分野】
【０００１】
本願は、出願番号がＣＮ２０１４１０３６４６４８.７であって、出願日が２０１４年７月２８日である中国特許出願に基づいて優先権を主張し、当該中国特許出願のすべての内容を援用するようにする。
本発明は、通信技術分野に関し、特に、ＷＩ−ＦＩネットワーク接続方法、及び装置に関する。
【背景技術】
【０００２】
通信技術の発展に伴い、無線接続機能付きの端末を利用して無線ネットワークに接続してネットワークにアクセスするユーザがますます多くなっている。ここで、ワイヤレスフィディリティーＷＩ−ＦＩネットワークは、現在、最もメインストリームの無線ネットワークの規格である。当該ＷＩ−ＦＩネットワークを利用して、ネットワークにアクセスする前に、端末をＷＩ−ＦＩネットワーク接続機器に接続させる必要があり、接続できた後にネットワークにアクセスできる。
【０００３】
ここで、端末がＷＩ−ＦＩネットワークに接続する流れは、以下のとおりである。端末は、まず、スキャン探測要求によって、現在の環境中に存在するＷＩ−ＦＩネットワーク接続機器を検出し、ＷＩ−ＦＩネットワーク接続機器から返送されたスキャン探測応答を受信した後に、ＷＩ−ＦＩネットワークリストを生成する。次に、ユーザが、当該リスト中から接続しようとするＷＩ−ＦＩネットワーク接続機器を選定してパスワードを入力する。この時、端末はパスワードが付加された認証要求をＷＩ−ＦＩネットワーク接続機器に送信する。次に、ＷＩ−ＦＩネットワーク接続機器は、パスワードが検証できた後に、当該端末を認証機器として記録し、端末に認証できたことを示す認証応答を返送する。端末は、当該認証応答を受信した後に、ＷＩ−ＦＩネットワーク接続機器に、接続確立要求を送信する。ＷＩ−ＦＩネットワーク接続機器は、当該要求に基づいて端末をＷＩ−ＦＩネットワークに接続させる。
【０００４】
発明者は、関連技術に少なくとも以下の問題が存在することを発見した。
上記の過程には、ＷＩ−ＦＩネットワークに接続する際の認証、接続機器の選定、等の、ユーザによる手動の操作が多い。しかしながら、現在、ますます一般的になっている携帯電話でない機器或はタブレットＰＣのようなインテリジェント端末（例えば、インターネットＴＶ、インテリジェントウェアラブル機器、ＷＩ−ＦＩカメラ）は、入力デバイスがないため、手動のネットワークに接続する過程において、認証のための操作、接続機器を選定する操作、等を行う過程が複雑すぎるし、且つ、長い時間がかかることになっているため、インテリジェント端末がＷＩ−ＦＩネットワークに接続する効率が低下する。
【発明の概要】
【０００５】
関連技術での問題を解決するために、本発明に係る実施形態は、ＷＩ−ＦＩネットワーク接続方法、及び装置を提供する。技術的解決策は以下のとおりである。
【０００６】
本発明に係る実施形態の第１の態様によると、ＷＩ−ＦＩネットワーク接続方法を提供する。
【０００７】
当該方法は、
第１端末が送信した無認証接続要求を受信し、前記無認証接続要求中に付加された端末ＩＤに基づいて前記第１端末が無認証条件を満たすか否かを特定するステップと、
前記第１端末が無認証条件を満たす場合、前記第１端末に接続要求応答を送信するステップと、
前記第１端末が前記接続要求応答に基づいて送信した接続要求を受信し、前記接続要求に基づいて前記第１端末をワイヤレスフィディリティーＷＩ−ＦＩネットワークに接続させるステップとを含む。
【０００８】
本発明に係る実施形態の第２の態様によると、ＷＩ−ＦＩネットワーク接続装置を提供する。
【０００９】
当該装置は、
第１端末が送信した無認証接続要求を受信するための第１受信モジュールと、
前記無認証接続要求中に付加された端末ＩＤに基づいて前記第１端末が無認証条件を満たすか否かを特定するための特定モジュールと、
前記第１端末が無認証条件を満たす場合、前記第１端末に接続要求応答を送信するための第１送信モジュールと、
前記第１端末が前記接続要求応答に基づいて送信した接続要求を受信するための第２受信モジュールと、
前記接続要求に基づいて前記第１端末をワイヤレスフィディリティーＷＩ−ＦＩネットワークに接続させるための接続モジュールとを備える。
【００１０】
本発明に係る実施形態の第３の態様によると、ＷＩ−ＦＩネットワーク接続装置を提供する。
【００１１】
当該装置は、
プロセッサと、
前記プロセッサが実行可能な命令を記憶するためのメモリと
を備え、
前記プロセッサは、
第１端末が送信した無認証接続要求を受信し、前記無認証接続要求中に付加された端末ＩＤに基づいて前記第１端末が無認証条件を満たすか否かを特定し、
前記第１端末が無認証条件を満たす場合、前記第１端末に接続要求応答を送信し、
前記第１端末が前記接続要求応答に基づいて送信した接続要求を受信し、前記接続要求に基づいて前記第１端末をワイヤレスフィディリティーＷＩ−ＦＩネットワークに接続させるように構成される。
【００１２】
本発明に係る実施形態の第四の態様によると、ＷＩ−ＦＩネットワーク接続装置を提供する。
【００１３】
当該装置は、
プロセッサと、
前記プロセッサが実行可能な命令を記憶するためのメモリと
を備え、
前記プロセッサは、
ネットワーク接続機器に、自端末の端末ＩＤが付加された無認証接続要求をブロードキャスティングし、
前記ネットワーク接続機器が前記無認証接続要求に基づいて自端末が無認証条件を満たすと特定した後に送信した接続要求応答を受信し、
前記接続要求応答に基づいて前記ネットワーク接続機器に接続要求を送信して、ネットワーク機器に自端末をＷＩ−ＦＩネットワークに接続させるようにするように構成される。
【００１４】
本発明の実施形態が提供する技術的解決策の有益な効果は以下のとおりである。
【００１５】
ネットワークに接続しようとする第１端末が送信した無認証接続要求を受信し、当該要求に基づいて第１端末が無認証条件を満たすか否かを特定して、無認証条件を満たすと第１端末に接続要求応答を送信して、第１端末が送信した接続要求に基づいて第１端末をＷＩ−ＦＩネットワークに接続させる。このようにすることにより、入力操作の不便な端末に、無認証の方法によってＷＩ−ＦＩネットワークに接続できるようにすることにより、接続の効率を改善できるし、操作の複雑性を低下させることができる。
【００１６】
以上の統括な記述と以下の細部記述は、ただ例示的なものであり、本発明を制限するものではないと、理解するべきである。
【図面の簡単な説明】
【００１７】
ここでの図面は、明細書中に含まれて本明細書の一部を構成するためのものであり、本発明に合致する実施形態を示すためのものであり、明細書と一緒に本発明の原理を説明する。
【図１】図１は、本発明に係る例示的な一実施形態のＷＩ−ＦＩネットワーク接続方法を示すフローチャートである。
【図２】図２は、本発明に係る例示的な一実施形態のＷＩ−ＦＩネットワーク接続方法を示すフローチャートである。
【図３】図３は、本発明に係る例示的な一実施形態のＷＩ−ＦＩネットワーク接続方法を示すフローチャートである。
【図４】図４は、本発明に係る例示的な一実施形態のＷＩ−ＦＩネットワーク接続装置を示すブロック図である。
【図５】図５は、本発明に係る例示的な一実施形態のＷＩ−ＦＩネットワーク接続装置を示すブロック図である。
【図６】図６は、本発明に係る例示的な一実施形態のＷＩ−ＦＩネットワーク接続装置を示すブロック図である。
【図７】図７は、本発明に係る例示的な一実施形態のＷＩ−ＦＩネットワーク接続装置を示すブロック図である。
【発明を実施するための形態】
【００１８】
本発明の目的、技術的解決策及び利点をさらに明確にするために、以下、図面を参照しながら本発明の実施形態をさらに詳しく説明する。
【００１９】
実施形態１
本発明に係る実施形態は、ＷＩ−ＦＩネットワーク接続方法を提供する。本実施形態の方法は、ネットワーク接続機器中で用いることができる。図１を参照すると、当該方法は、以下のステップを含む。
【００２０】
ステップ１０１において、第１端末が送信した無認証接続要求を受信し、無認証接続要求中に付加された端末ＩＤに基づいて第１端末が無認証条件を満たすか否かを特定する。
【００２１】
ステップ１０２において、第１端末が無認証条件を満たす場合、第１端末に接続要求応答を送信する。
【００２２】
ステップ１０３において、第１端末が接続要求応答に基づいて送信した接続要求を受信し、接続要求に基づいて第１端末をワイヤレスフィディリティーＷＩ−ＦＩネットワークに接続させる。
【００２３】
本発明に係る実施形態によると、ネットワークに接続しようとする第１端末が送信した無認証接続要求を受信し、当該要求に基づいて第１端末が無認証条件を満たすか否かを特定して、無認証条件を満たす場合に第１端末に接続要求応答を送信して、第１端末が送信した接続要求に基づいて第１端末をＷＩ−ＦＩネットワークに接続させる。このようにすることにより、入力操作の不便な端末に、無認証の方法によってＷＩ−ＦＩネットワークに接続できるようにすることにより、接続の効率を改善できるし、操作の複雑性を低下させることができる。
【００２４】
実施形態２
本発明に係る実施形態は、ＷＩ−ＦＩネットワーク接続方法を提供する。本実施形態の方法は、端末中で用いることができる。図２を参照すると、当該方法は、以下のステップを含む。
【００２５】
ステップ２０１において、ネットワーク接続機器に、自端末の端末ＩＤが付加された無認証接続要求をブロードキャスティングする。
【００２６】
ステップ２０２において、ネットワーク接続機器によって無認証接続要求に基づいて自端末が無認証条件を満たすと特定された後にネットワーク接続機器によって送信された接続要求応答を受信する。
【００２７】
ステップ２０３において、接続要求応答に基づいてネットワーク接続機器に接続要求を送信して、ネットワーク機器に自端末をＷＩ−ＦＩネットワークに接続させるようにする。
【００２８】
本発明に係る実施形態によると、ブロードキャスティングの方法によって、ネットワーク接続機器に無認証接続要求を送信し、ネットワーク接続機器により無認証条件を満たすと判断された後に送信された接続要求応答を受信して、ネットワーク接続機器に接続要求を送信することにより、自端末をＷＩ−ＦＩネットワークに接続させる。このようにして、入力操作の不便な端末に、無認証の方法によってＷＩ−ＦＩネットワークに接続できるようにすることにより、接続の効率を改善できるし、操作の複雑性を低下させることができる。
【００２９】
実施形態３
本発明に係る実施形態は、ＷＩ−ＦＩネットワーク接続方法を提供する。図３を参照すると、当該方法は、以下のステップを含む。
【００３０】
ステップ３０１において、第１端末は、ネットワーク接続機器に、自端末の端末ＩＤが付加された無認証接続要求をブロードキャスティングする。
【００３１】
ここで、本発明に係る実施形態において、第１端末は、ネットワーク接続機器のＷＩ−ＦＩネットワークに接続しようとするＷＩ−ＦＩ端末である。第１端末は、起動された後、自分の無線モジュールによって、周期的に、無認証接続要求をブロードキャスティングする。
【００３２】
ステップ３０２において、ネットワーク接続機器は、第１端末が送信した無認証接続要求を受信し、無認証接続要求中に付加された端末ＩＤに基づいて第１端末が無認証条件を満たすか否かを特定する。
【００３３】
ここで、ネットワーク接続機器は、第１端末が送信した無認証接続要求を受信した際に、自機器の認定待ち端末リスト中に、当該無認証接続要求中に付加された端末ＩＤ、及び最初に無認証接続要求が受信された時間を記録する。最初に無認証接続要求が受信された時間を記録するのは、ユーザにより第１端末が無認証条件を満たすか否かを認定する際に、当該無認証接続要求の時間を、認定を支援する一つのパラメータとするためである。
【００３４】
オプションとして、ユーザは、認定権限を有する第２端末にログインしてネットワーク接続機器中の認定待ち端末リストをチェックして、当該リスト中から無認証接続条件を満たす端末を選定する。このため、ステップ３０１を実行する前に、以下のステップを実行する必要がある。
【００３５】
第２端末が、第１端末を無認証接続させるための認定権限を有するように設定する。
【００３６】
従って、第２端末を用いて第１端末が無認証条件を満たすか否かを認定する過程は、以下のステップによって実現してもよい。
【００３７】
ステップ３０２１において、第２端末が送信した、無認証接続させるための認定要求を受信する。
【００３８】
ステップ３０２２において、第２端末に第１端末の端末ＩＤが含まれた認定待ち端末リストを返送する。
【００３９】
ステップ３０２３において、第２端末が送信した、第２端末が選定した端末ＩＤが含まれた認定情報を受信する。
【００４０】
ステップ３０２４において、認定情報中に付加された第２端末が選定した端末ＩＤと無認証接続要求中に付加された端末ＩＤとが同一である場合、第１端末が無認証条件を満たすと認定する。
【００４１】
無認証条件を満たす端末が認定できた後に、ステップ３０３を実行する。
【００４２】
オプションとして、無認証条件を満たす端末が認定できた後に、さらに、ネットワーク接続機器によって管理されている、無認証に成功した端末を記録するためのもう一つの無認証端末リスト中に、無認証端末を追加してもよい。このようにして、無認証端末によって認定された端末は、当該端末がネットワークに接続する際に、二次的に認定され、接続のセキュリティ保証が増加される。このため、さらに、ステップ３０４を実行してもよい。ここで、ステップ３０３とステップ３０４とのタイミング関係に対しては、限定しない。
【００４３】
ステップ３０３において、第１端末が無認証条件を満たす場合、ネットワーク接続機器は第１端末に接続要求応答を送信する。
【００４４】
ここで、接続要求応答中にネットワーク接続機器のＩＤを付加して、第１端末に当該ＩＤに基づいて接続するようする。
【００４５】
ステップ３０４において、ネットワーク接続機器は、無認証端末リスト中に第１端末を記録し、第１端末の無認証端末リスト中の存続期間を設定する。
【００４６】
無認証端末リスト中に無認証条件を満たす端末の端末ＩＤ、及び当該端末の無認証端末リスト中の存続期間が記録される。
【００４７】
ここで、存続期間は、存続期間に達した際に、無認証端末リスト中から、記録されている無認証条件を満たす端末の端末ＩＤを削除することにより、存続期間を超えた端末の接続操作を禁止して、セキュリティを改善するためのものである。
【００４８】
このため、ネットワーク接続機器は、無認証端末リスト中に記録された無認証条件を満たす各々の端末の対応する存続期間に基づいて、当該リストを管理し、当該リストから存続期間に達した端末に対する記録を削除する。
【００４９】
従って、ステップ３０４の後に、さらに、以下のステップを実行する。
【００５０】
存続期間に達した際に、第１端末に対応する記録を無認証端末リスト中から削除する。
【００５１】
ステップ３０５において、第１端末は、ネットワーク接続機器が無認証接続要求に基づいて自端末が無認証条件を満たすと特定した後に送信した接続要求応答を受信する。
【００５２】
オプションとして、第１端末が情報を表示するための表示スクリーンを備える場合、当該表示スクリーンに、接続要求応答を送信したネットワーク接続機器のＩＤを表示することにより、ユーザに接続できる当該ネットワーク接続機器を通知して、ユーザに最終的に認定させる。ユーザによって認定命令がトリガされた場合に、ステップ３０６が実行される。
【００５３】
ステップ３０６において、第１端末は接続要求応答に基づいてネットワーク接続機器に接続要求を送信して、ネットワーク機器に自端末をＷＩ−ＦＩネットワークに接続させるようにする。
【００５４】
ここで、接続要求中には、認証情報が付加されていない。
【００５５】
ステップ３０７において、ネットワーク接続機器は、第１端末が接続要求応答に基づいて送信した接続要求を受信し、接続要求に基づいて第１端末をワイヤレスフィディリティーＷＩ−ＦＩネットワークに接続させる。
【００５６】
オプションとして、ステップ３０７において、第１端末をＷＩ−ＦＩネットワークに接続させる際に、第１端末に対して更なる検証を行う必要がある。
【００５７】
ステップ３０４で無認証端末リスト中に無認証条件を満たす端末が記録されるので、接続要求中に付加された端末ＩＤが当該リスト中に存在するか否かをチェックする。当該リスト中に存在する場合には、ＷＩ−ＦＩネットワークに接続させるための処理を実行し、存在しない場合には、ＷＩ−ＦＩネットワークに接続させるための処理の実行を拒絶する。
【００５８】
このため、ステップ３０７の実施形態は、ステップ３０７１〜ステップ３０７２によって実現できる。
【００５９】
ステップ３０７１において、第１端末が無認証端末リスト中に存在するか否かを特定する。
【００６０】
ステップ３０７２において、第１端末が無認証端末リスト中に存在する場合、接続要求に基づいて第１端末をＷＩ−ＦＩネットワークに接続させる。
【００６１】
本発明に係る実施形態によると、ネットワークに接続しようとする第１端末が送信した無認証接続要求を受信し、当該要求に基づいて第１端末が無認証条件を満たすか否かを特定して、無認証条件を満たすと第１端末に接続要求応答を送信して、第１端末が送信した接続要求に基づいて第１端末をＷＩ−ＦＩネットワークに接続させる。このようにすることにより、入力操作の不便な端末に、無認証の方法によってＷＩ−ＦＩネットワークに接続できるようにすることにより、接続の効率を改善できるし、操作の複雑性を低下させることができる。
【００６２】
実施形態４
本発明に係る実施形態は、ＷＩ−ＦＩネットワーク接続装置を提供する。図４を参照すると、当該装置は、
第１端末が送信した無認証接続要求を受信するための第１受信モジュール４０１と、
無認証接続要求中に付加された端末ＩＤに基づいて、第１端末が無認証条件を満たすか否かを特定するための特定モジュール４０２と、
第１端末が無認証条件を満たす場合、第１端末に接続要求応答を送信するための送信モジュール４０３と、
第１端末が接続要求応答に基づいて送信した接続要求を受信するための第２受信モジュール４０４と、
接続要求に基づいて第１端末をワイヤレスフィディリティーＷＩ−ＦＩネットワークに接続させるための接続モジュール４０５と
を備える。
【００６３】
ここで、装置は、
第２端末が、第１端末を無認証接続させるための認定権限を有するように設定するための設定モジュール４０６を、さらに備える。
【００６４】
従って、特定モジュール４０２は、
第２端末が送信した無認証接続させるための認定要求を受信するための第１受信ユニットと、
第２端末に、第１端末の端末ＩＤが含まれた認定待ち端末リストを返送するための送信ユニットと、
第２端末から送信された、第２端末が選定した端末ＩＤが含まれた認定情報を受信するための第２受信ユニットと、
認定情報中に付加された第２端末が選定した端末ＩＤと無認証接続要求中に付加された端末ＩＤとが同一である場合、第１端末が無認証条件を満たすと認定するための第１特定ユニットと
を備える。
【００６５】
ここで、装置は、
無認証端末リスト中に第１端末を記録し、第１端末の無認証端末リスト中の存続期間を設定するための記録モジュール４０７
を、さらに備える。
【００６６】
ここで、接続モジュール４０５は、
第１端末が無認証端末リスト中に存在するか否かを特定するための第２特定ユニットと、
第１端末が無認証端末リスト中に存在する場合、接続要求に基づいて第１端末をＷＩ−ＦＩネットワークに接続させるための接続ユニットと
を備える。
【００６７】
ここで、装置は
存続期間に達した場合、第１端末に対応する記録を無認証端末リスト中から削除するための削除モジュール４０８
を、さらに備える。
【００６８】
本発明に係る実施形態によると、ネットワークに接続しようとする第１端末が送信した無認証接続要求を受信し、当該要求に基づいて第１端末が無認証条件を満たすか否かを特定して、無認証条件を満たすと第１端末に接続要求応答を送信して、第１端末が送信した接続要求に基づいて第１端末をＷＩ−ＦＩネットワークに接続させる。このようにすることにより、入力操作の不便な端末に、無認証の方法によってＷＩ−ＦＩネットワークに接続できるようにすることにより、接続の効率を改善できるし、操作の複雑性を低下させることができる。
【００６９】
実施形態５
本発明に係る実施形態は、ＷＩ−ＦＩネットワーク接続装置を提供する。図５を参照すると、当該装置は、
ネットワーク接続機器に、自端末の端末ＩＤが付加された無認証接続要求をブロードキャスティングするためのブロードキャスティングモジュール５０１と、
ネットワーク接続機器が無認証接続要求に基づいて無認証条件を満たすと特定した後に送信した接続要求応答を受信するための第３受信モジュール５０２と、
接続要求応答に基づいてネットワーク接続機器に接続要求を送信して、ネットワーク機器に自端末をＷＩ−ＦＩネットワークに接続させるようにするための第２送信モジュール５０３と
を含む。
【００７０】
本発明に係る実施形態によると、ブロードキャスティングの方法によって、ネットワーク接続機器に無認証接続要求を送信し、ネットワーク接続機器により無認証条件を満たすと判断した後に送信された接続要求応答を受信して、ネットワーク接続機器に接続要求を送信することにより、自端末をＷＩ−ＦＩネットワークに接続させる。このようにして、入力操作の不便な端末に、無認証の方法によってＷＩ−ＦＩネットワークに接続できるようにすることにより、接続の効率を改善できるし、操作の複雑性を低下させることができる。
【００７１】
実施形態６
図６は、本発明に係る例示的な一実施形態のＷＩ−ＦＩネットワーク接続装置を示すブロック図である。例えば、装置１９００をネットワーク接続機器として提供してもよい。図６を参照すると、装置１９００は、プロセスアセンブリ１９２２を備える。当該プロセスアセンブリ１９２２は、一つ以上のプロセッサ、及びメモリ１９３２を代表とするメモリリソースを、さらに備える。当該メモリリソースは、プロセスアセンブリ１９２２によって実行される、例えばアプリケーションプログラムのような命令を保存する。メモリ１９３２中に保存されたアプリケーションプログラムには、それぞれ一つの命令のセットに対応する一つ以上のモジュールが含まれてもよい。なお、プロセスアセンブリ１９２２は、命令を実行することにより、上記のＷＩ−ＦＩネットワーク接続方法を実行する。
【００７２】
装置１９００は、装置１９００の電源を管理するための電源アセンブリ１９２６、装置１９００をネットワークに接続させるための有線又は無線のネットワークインターフェイス１９５０、及び、Ｉ／Ｏインターフェイス１９５８を備えてもよい。装置１９００は、メモリ１９３２に保存された、例えば、Ｗｉｎｄｏｗｓ ＳｅｒｖｅｒＴＭ、Ｍａｃ ＯＳ ＸＴＭ、ＵｎｉｘＴＭ、 ＬｉｎｕｘＴＭ、ＦｒｅｅＢＳＤＴＭのようなオペレーティング・システムによって、操作を行うことができる。
【００７３】
本発明に係る実施形態によると、ネットワークに接続しようとする第１端末が送信した無認証接続要求を受信し、当該要求に基づいて第１端末が無認証条件を満たすか否かを特定して、無認証条件を満たす場合に第１端末に接続要求応答を送信して、第１端末が送信した接続要求に基づいて第１端末をＷＩ−ＦＩネットワークに接続させる。このようにすることにより、入力操作の不便な端末に、無認証の方法によってＷＩ−ＦＩネットワークに接続できるようにすることにより、接続の効率を改善できるし、操作の複雑性を低下させることができる。
【００７４】
実施形態７
図７は、例示的な一実施形態に係るＷＩ−ＦＩネットワーク接続装置７００を示すブロック図である。例えば、装置７００は、携帯電話、コンピューター、デジタルブロードキャスティング端末、メッセージ送受信デバイス、ゲームコンソール、タブレットデバイス、医療機器、フィットネス機器、パーソナルデジタルアシスタント等であってもよい。
【００７５】
図７を参照して、装置７００は、プロセスアセンブリ７０２、メモリ７０４、電源アセンブリ７０６、マルチメディアアセンブリ７０８、オーディオアセンブリ７１０、入出力（Ｉ／Ｏ）インターフェイス７１２、センサアセンブリ７１４、及び通信アセンブリ７１６のような一つ以上のアセンブリを含んでよい。
【００７６】
プロセスアセンブリ７０２は、一般的には装置７００の全体の動作を制御するものであり、例えば、表示、電話呼び出し、データ通信、カメラ動作、及び記録動作と関連する動作を制御する。プロセスアセンブリ７０２は、一つ以上のプロセッサ７２０を含み、これらによって命令を実行することにより、上記の方法の全部、或は一部のステップを実現するようにしてもよい。なお、プロセスアセンブリ７０２は、一つ以上のモジュールを含み、これらによってプロセスアセンブリ７０２と他のアセンブリの間のインタラクションを容易にするようにしてもよい。例えば、プロセスアセンブリ７０２は、マルチメディアモジュールを含み、これらによってマルチメディアアセンブリ７０８とプロセスアセンブリ７０２の間のインタラクションを容易にするようにしてもよい。
【００７７】
メモリ７０４は、各種類のデータを記憶することにより装置７００の動作を支援するように構成される。これらのデータの例は、装置７００において動作されるいずれのアプリケーションプログラム又は方法の命令、連絡対象データ、電話帳データ、メッセージ、画像、ビデオ等を含む。メモリ７０４は、いずれの種類の揮発性メモリ、不揮発性メモリ記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（ Ｐｒｏｇｒａｍｍａｂｌｅ ＲＯＭ）、ＲＯＭ（Ｒｅａｄ Ｏｎｌｙ Ｍｅｍｏｒｙ）、磁気メモリ、フラッシュメモリ、磁気ディスク、或いは光ディスクである。
【００７８】
電源アセンブリ７０６は、装置７００の多様なアセンブリに電力を供給する。電源アセンブリ７０６は、電源管理システム、一つ以上の電源、及び装置７００のための電力の生成、管理及び割り当てに関連する他のアセンブリを含んでもよい。
【００７９】
マルチメディアアセンブリ７０８は、前記装置７００とユーザの間に一つの出力インターフェイスを提供するスクリーンを含む。上記の実施形態において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或はスライドの動作の境界だけでなく、前記のタッチ、或はスライド操作に係る継続時間及び圧力も検出できる。上記の実施形態において、マルチメディアアセンブリ７０８は、一つのフロントカメラ、及び／又はリアカメラを含む。装置７００が、例えば撮影モード、或はビデオモード等の操作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【００８０】
オーディオアセンブリ７１０は、オーディオ信号を入出力するように構成されてもよい。例えば、オーディオアセンブリ７１０は、一つのマイク（ＭＩＣ）を含み、装置７００が、例えば呼出しモード、記録モード、及び音声認識モード等の操作モードにある場合、マイクは外部のオーディオ信号を受信することができる。受信されたオーディオ信号は、さらにメモリ７０４に記憶されたり、通信アセンブリ７１６を介して送信されたりされる。上記の実施形態において、オーディオアセンブリ７１０は、オーディオ信号を出力するための一つのスピーカーをさらに含む。
【００８１】
Ｉ／Ｏインターフェイス７１２は、プロセスアセンブリ７０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、起動ボタン、ロッキングボタンを含んでもよいが、これらに限定されない。
【００８２】
センサアセンブリ７１４は、装置７００に各方面の状態に対する評価を提供するための一つ以上のセンサを含む。例えば、センサアセンブリ７１４は、装置７００のＯＮ／ＯＦＦ状態、装置７００のディスプレイとキーパッドのようなアセンブリの相対的な位置決めを検出できる。また、例えば、センサアセンブリ７１４は、装置７００、或は装置７００の一つのアセンブリの位置変更、ユーザと装置７００とが接触しているか否か、装置７００の方位、又は加速／減速、装置７００の温度の変化を検出できる。センサアセンブリ７１４は、何れの物理的接触がない状態にて付近の物体の存在を検出するための近接センサを含んでもよい。センサアセンブリ７１４は、撮影アプリケーションに適用するため、ＣＭＯＳ、又はＣＣＤ画像センサのような光センサを含んでもよい。上記の実施形態において、当該センサアセンブリ７１４は、加速度センサ、ジャイロスコープセンサ、磁気センサ、圧力センサ、及び温度センサをさらに含んでもよい。
【００８３】
通信アセンブリ７１６は、装置７００と他の機器の間に有線、又は無線の通信を提供する。装置７００は、例えばＷｉＦｉ、２Ｇ、３Ｇ、或はこれらの組み合わせのような、通信規格に基づいた無線ネットワークに接続されてもよい。一つの例示的な実施形態において、通信アセンブリ７１６は、ブロードキャスティングチャンネルを介して外部のブロードキャスティング管理システムからのブロードキャスティング信号、又はブロードキャスティングに関連する情報を受信する。一つの例示的な実施形態において、前記通信アセンブリ７１６は、近距離無線通信（ＮＦＣ）モジュールをさらに含むことにより、近距離通信を推進するようにする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ）技術、他の技術に基づいて実現できる。
【００８４】
例示的な実施形態において、装置７００は、一つ以上のＡＳＩＣ（Ａｐｐｌｉｃａｔｉｏｎ  Ｓｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記方法を実行する。
【００８５】
例示的な実施形態において、さらに、例えばメモリ７０４に含まれる命令を含むコンピュータ読取り可能な非一時的な記録媒体を提供しており、装置７００のプロセッサ７２０により上記命令を実行して上記方法を実現する。例えば、前記コンピュータ読取り可能な非一時的な記録媒体は、ＲＯＭ、ＲＡＭ、ＣＤ-ＲＯＭ、磁気テープ、フロッピーディスク、光データ記憶デバイス等である。
【００８６】
本発明に係る実施形態によると、ブロードキャスティングの方法によって、ネットワーク接続機器に無認証接続要求を送信し、ネットワーク接続機器により無認証条件を満たすと判断した後に送信された接続要求応答を受信して、ネットワーク接続機器に接続要求を送信することにより、自端末をＷＩ−ＦＩネットワークに接続させる。このようにして、入力操作の不便な端末に、無認証の方法によってＷＩ−ＦＩネットワークに接続できるようにすることにより、接続の効率を改善できるし、操作の複雑性を低下させることができる。
【００８７】
当業者は、明細書を検討して本発明を実践した後、本発明の他の実施案を容易に考え出すことができる。本願は、本発明のいずれの変形、用途、又は適応的な変更をカバーすることを狙っているし、これらの変形、用途、又は適応的な変更は、本発明の一般的な原理に従い、また、本発明は公開していない当業界の公知の知識又は通常の技術手段を含む。明細書と実施形態はただ例示として考慮され、本発明の本当の範囲と精神は以下の特許請求の範囲に記載される。
【００８８】
本発明は上記に記述され、また図面で示した正確な構成に限定されず、その範囲を逸脱しない限り多様な置換えと変更を行うことができると、理解するべきである。本発明の範囲は添付の特許請求の範囲のみにより限定される。
【図１】
2016537904.tif 000003
【図２】
2016537904.tif 000004
【図３】
2016537904.tif 000005
【図４】
2016537904.tif 000006
【図５】
2016537904.tif 000007
【図６】
2016537904.tif 000008
【図７】
2016537904.tif 000009
【手続補正書】
【提出日】平成27年1月9日(2015.1.9)
【手続補正１】
【補正対象書類名】特許請求の範囲
【補正対象項目名】全文
【補正方法】変更
【補正の内容】
【特許請求の範囲】
【請求項１】
第１端末が送信した無認証接続要求を受信し、前記無認証接続要求中に付加された端末ＩＤに基づいて前記第１端末が無認証条件を満たすか否かを特定するステップと、
前記第１端末が無認証条件を満たす場合、前記第１端末に接続要求応答を送信するステップと、
前記第１端末が前記接続要求応答に基づいて送信した接続要求を受信し、前記接続要求に基づいて前記第１端末をＷＩ−ＦＩネットワークに接続させるステップと
を含むことを特徴とするＷＩ−ＦＩネットワーク接続方法。
【請求項２】
前記第１端末が送信した無認証接続要求を受信する前に、
第２端末が、第１端末を無認証接続させるための認定権限を有するように設定するステップ
を、さらに含むことを特徴とする請求項１に記載のＷＩ−ＦＩネットワーク接続方法。
【請求項３】
前記無認証接続要求中に付加された端末ＩＤに基づいて前記第１端末が無認証条件を満たすか否かを特定するステップは、
前記第２端末が送信した、無認証接続させるための認定要求を受信するステップと、
前記第２端末に、前記第１端末の端末ＩＤが含まれた認定待ち端末リストを返送するステップと、
前記第２端末が送信した、前記第２端末によって選定された端末ＩＤが付加された認定情報を受信するステップと、
前記認定情報中に付加された前記第２端末によって選定された端末ＩＤと、前記無認証接続要求中に付加された端末ＩＤとが同一である場合、前記第１端末が無認証条件を満たすと認定するステップと
を含むことを特徴とする請求項２に記載のＷＩ−ＦＩネットワーク接続方法。
【請求項４】
前記第１端末が無認証条件を満たすと認定した後、
無認証端末リスト中に前記第１端末を記録し、前記無認証端末リスト中での前記第１端末の存続期間を設定するステップ
を、さらに含むことを特徴とする請求項３に記載のＷＩ−ＦＩネットワーク接続方法。
【請求項５】
前記接続要求に基づいて前記第１端末をＷＩ−ＦＩネットワークに接続させるステップは、
前記第１端末が前記無認証端末リスト中に存在するか否かを特定するステップと、
前記第１端末が前記無認証端末リスト中に存在する場合、前記接続要求に基づいて前記第１端末をＷＩ−ＦＩネットワークに接続させるステップと
を含むことを特徴とする請求項４に記載のＷＩ−ＦＩネットワーク接続方法。
【請求項６】
前記無認証端末リスト中での前記第１端末の存続期間を設定した後に、
前記存続期間に達した場合、前記第１端末に対応する記録を前記無認証端末リスト中から削除するステップ
を、さらに含むことを特徴とする請求項４に記載のＷＩ−ＦＩネットワーク接続方法。
【請求項７】
ネットワーク接続機器に、自端末の端末ＩＤが付加された無認証接続要求をブロードキャスティングするステップと、
前記ネットワーク接続機器が前記無認証接続要求に基づいて自端末が無認証条件を満たすと特定した後に送信した接続要求応答を受信するステップと、
前記接続要求応答に基づいて前記ネットワーク接続機器に接続要求を送信して、ネットワーク機器に自端末をＷＩ−ＦＩネットワークに接続させるようにするステップと
を含むことを特徴とするＷＩ−ＦＩネットワーク接続方法。
【請求項８】
第１端末が送信した無認証接続要求を受信するための第１受信モジュールと、
前記無認証接続要求中に付加された端末ＩＤに基づいて前記第１端末が無認証条件を満たすか否かを特定するための特定モジュールと、
前記第１端末が無認証条件を満たす場合、前記第１端末に接続要求応答を送信するための第１送信モジュールと、
前記第１端末が前記接続要求応答に基づいて送信した接続要求を受信するための第２受信モジュールと、
前記接続要求に基づいて前記第１端末をＷＩ−ＦＩネットワークに接続させるための接続モジュールと
を備えることを特徴とするＷＩ−ＦＩネットワーク接続装置。
【請求項９】
第２端末が、第１端末を無認証接続させるための認定権限を有するように設定するための設定モジュール
を、さらに備えることを特徴とする請求項８に記載のＷＩ−ＦＩネットワーク接続装置。
【請求項１０】
前記特定モジュールは、
前記第２端末が送信した、無認証接続させるための認定要求を受信するための第１受信ユニットと、
前記第２端末に、前記第１端末の端末ＩＤが含まれた認定待ち端末リストを返送するための送信ユニットと、
前記第２端末が送信した、前記第２端末によって選定された端末ＩＤが付加された認定情報を受信するための第２受信ユニットと、
前記認定情報中に付加された前記第２端末によって選定された端末ＩＤと、前記無認証接続要求中に付加された端末ＩＤとが同一である場合、前記第１端末が無認証条件を満たすと認定するための第１特定ユニットと
を備えることを特徴とする請求項９に記載のＷＩ−ＦＩネットワーク接続装置。
【請求項１１】
無認証端末リスト中に前記第１端末を記録し、前記無認証端末リスト中での前記第１端末の存続期間を設定するための記録モジュール
を、さらに備えることを特徴とする請求項１０に記載のＷＩ−ＦＩネットワーク接続装置。
【請求項１２】
前記接続モジュールは、
前記第１端末が前記無認証端末リスト中に存在するか否かを特定するための第２特定ユニットと、
前記第１端末が前記無認証端末リスト中に存在する場合、前記接続要求に基づいて前記第１端末をＷＩ−ＦＩネットワークに接続させるための接続ユニットと
を備えることを特徴とする請求項１１に記載のＷＩ−ＦＩネットワーク接続装置。
【請求項１３】
前記存続期間に達した場合、前記第１端末に対応する記録を前記無認証端末リスト中から削除するための削除モジュール
を、さらに備えることを特徴とする請求項１１に記載のＷＩ−ＦＩネットワーク接続装置。
【請求項１４】
ネットワーク接続機器に、自端末の端末ＩＤが付加された無認証接続要求をブロードキャスティングするためのブロードキャスティングモジュールと、
前記ネットワーク接続機器が前記無認証接続要求に基づいて自端末が無認証条件を満たすと特定した後に送信した接続要求応答を受信するための第３受信モジュールと、
前記接続要求応答に基づいて前記ネットワーク接続機器に接続要求を送信して、ネットワーク機器に自端末をＷＩ−ＦＩネットワークに接続させるようにするための第２送信モジュールと
を備えることを特徴とするＷＩ−ＦＩネットワーク接続装置。
【請求項１５】
プロセッサと、
前記プロセッサが実行可能な命令を記憶するためのメモリと
を備え、
前記プロセッサは、
第１端末が送信した無認証接続要求を受信し、前記無認証接続要求中に付加された端末ＩＤに基づいて前記第１端末が無認証条件を満たすか否かを特定し、
前記第１端末が無認証条件を満たす場合、前記第１端末に接続要求応答を送信し、
前記第１端末が前記接続要求応答に基づいて送信した接続要求を受信し、前記接続要求に基づいて前記第１端末をＷＩ−ＦＩネットワークに接続させるように構成される
ことを特徴とするＷＩ−ＦＩネットワーク接続装置。
【請求項１６】
プロセッサと、
前記プロセッサが実行可能な命令を記憶するためのメモリとを備え、
前記プロセッサは、
ネットワーク接続機器に、自端末の端末ＩＤが付加された無認証接続要求をブロードキャスティングし、
前記ネットワーク接続機器が前記無認証接続要求に基づいて自端末が無認証条件を満たすと特定した後に送信した接続要求応答を受信し、
前記接続要求応答に基づいて前記ネットワーク接続機器に接続要求を送信して、ネットワーク機器に自端末をＷＩ−ＦＩネットワークに接続させるようにするように構成される
ことを特徴とするＷＩ−ＦＩネットワーク接続装置。
【請求項１７】
プロセッサに実行されることにより、請求項１から請求項７のいずれかに記載のＷＩ−ＦＩネットワーク接続方法を実現することを特徴とするプログラム。
【請求項１８】
請求項１７に記載のプログラムが記録された記録媒体。
【手続補正２】
【補正対象書類名】明細書
【補正対象項目名】全文
【補正方法】変更
【補正の内容】
【発明の詳細な説明】
【技術分野】
【０００１】
本願は、出願番号がＣＮ２０１４１０３６４６４８.７であって、出願日が２０１４年７月２８日である中国特許出願に基づいて優先権を主張し、当該中国特許出願のすべての内容を援用するようにする。
本発明は、通信技術分野に関し、特に、ＷＩ−ＦＩネットワーク接続方法、装置、プログラム、及び記録媒体に関する。
【背景技術】
【０００２】
通信技術の発展に伴い、無線接続機能付きの端末を利用して無線ネットワークに接続してネットワークにアクセスするユーザがますます多くなっている。ここで、ＷＩ−ＦＩ（ｗｉｒｅｌｅｓｓ ｆｉｄｅｌｉｔｙ：ワイヤレスフィディリティー）ネットワークは、現在、最もメインストリームの無線ネットワークの規格である。当該ＷＩ−ＦＩネットワークを利用して、ネットワークにアクセスする前に、端末をＷＩ−ＦＩネットワーク接続機器に接続させる必要があり、接続できた後にネットワークにアクセスできる。
【０００３】
ここで、端末がＷＩ−ＦＩネットワークに接続する流れは、以下のとおりである。端末は、まず、スキャン探測要求によって、現在の環境中に存在するＷＩ−ＦＩネットワーク接続機器を検出し、ＷＩ−ＦＩネットワーク接続機器から返送されたスキャン探測応答を受信した後に、ＷＩ−ＦＩネットワークリストを生成する。次に、ユーザが、当該リスト中から接続しようとするＷＩ−ＦＩネットワーク接続機器を選定してパスワードを入力する。この時、端末はパスワードが付加された認証要求をＷＩ−ＦＩネットワーク接続機器に送信する。次に、ＷＩ−ＦＩネットワーク接続機器は、パスワードが検証できた後に、当該端末を認証機器として記録し、端末に認証できたことを示す認証応答を返送する。端末は、当該認証応答を受信した後に、ＷＩ−ＦＩネットワーク接続機器に、接続確立要求を送信する。ＷＩ−ＦＩネットワーク接続機器は、当該要求に基づいて端末をＷＩ−ＦＩネットワークに接続させる。
【０００４】
発明者は、関連技術に少なくとも以下の問題が存在することを発見した。
上記の過程には、ＷＩ−ＦＩネットワークに接続する際の認証、接続機器の選定、等の、ユーザによる手動の操作が多い。しかしながら、現在、ますます一般的になっている携帯電話でない機器或はタブレットＰＣのようなインテリジェント端末（例えば、インターネットＴＶ、インテリジェントウェアラブル機器、ＷＩ−ＦＩカメラ）は、入力デバイスがないため、手動のネットワークに接続する過程において、認証のための操作、接続機器を選定する操作、等を行う過程が複雑すぎるし、且つ、長い時間がかかることになっているため、インテリジェント端末がＷＩ−ＦＩネットワークに接続する効率が低下する。
【発明の概要】
【０００５】
関連技術での問題を解決するために、本発明に係る実施形態形態は、ＷＩ−ＦＩネットワーク接続方法、装置、プログラム、及び記録媒体を提供する。技術的解決策は以下のとおりである。
【０００６】
本発明に係る実施形態形態の第１の態様によると、ＷＩ−ＦＩネットワーク接続方法を提供する。
【０００７】
当該方法は、
第１端末が送信した無認証接続要求を受信し、前記無認証接続要求中に付加された端末ＩＤに基づいて前記第１端末が無認証条件を満たすか否かを特定するステップと、
前記第１端末が無認証条件を満たす場合、前記第１端末に接続要求応答を送信するステップと、
前記第１端末が前記接続要求応答に基づいて送信した接続要求を受信し、前記接続要求に基づいて前記第１端末をＷＩ−ＦＩネットワークに接続させるステップとを含む。
【０００８】
本発明に係る実施形態の第２の態様によると、ＷＩ−ＦＩネットワーク接続装置を提供する。
【０００９】
当該装置は、
第１端末が送信した無認証接続要求を受信するための第１受信モジュールと、
前記無認証接続要求中に付加された端末ＩＤに基づいて前記第１端末が無認証条件を満たすか否かを特定するための特定モジュールと、
前記第１端末が無認証条件を満たす場合、前記第１端末に接続要求応答を送信するための第１送信モジュールと、
前記第１端末が前記接続要求応答に基づいて送信した接続要求を受信するための第２受信モジュールと、
前記接続要求に基づいて前記第１端末をＷＩ−ＦＩネットワークに接続させるための接続モジュールとを備える。
【００１０】
本発明に係る実施形態の第３の態様によると、ＷＩ−ＦＩネットワーク接続装置を提供する。
【００１１】
当該装置は、
プロセッサと、
前記プロセッサが実行可能な命令を記憶するためのメモリと
を備え、
前記プロセッサは、
第１端末が送信した無認証接続要求を受信し、前記無認証接続要求中に付加された端末ＩＤに基づいて前記第１端末が無認証条件を満たすか否かを特定し、
前記第１端末が無認証条件を満たす場合、前記第１端末に接続要求応答を送信し、
前記第１端末が前記接続要求応答に基づいて送信した接続要求を受信し、前記接続要求に基づいて前記第１端末をＷＩ−ＦＩネットワークに接続させるように構成される。
【００１２】
本発明に係る実施形態の第四の態様によると、ＷＩ−ＦＩネットワーク接続装置を提供する。
【００１３】
当該装置は、
プロセッサと、
前記プロセッサが実行可能な命令を記憶するためのメモリと
を備え、
前記プロセッサは、
ネットワーク接続機器に、自端末の端末ＩＤが付加された無認証接続要求をブロードキャスティングし、
前記ネットワーク接続機器が前記無認証接続要求に基づいて自端末が無認証条件を満たすと特定した後に送信した接続要求応答を受信し、
前記接続要求応答に基づいて前記ネットワーク接続機器に接続要求を送信して、ネットワーク機器に自端末をＷＩ−ＦＩネットワークに接続させるようにするように構成される。
本発明に係る実施形態の第５の態様によると、プロセッサに実行されることにより、上記のＷＩ−ＦＩネットワーク接続方法を実現するプログラムを提供する。
本発明に係る実施形態の第６の態様によると、上記プログラムが記録された記録媒体を提供する。
【００１４】
本発明の実施形態が提供する技術的解決策の有益な効果は以下のとおりである。
【００１５】
ネットワークに接続しようとする第１端末が送信した無認証接続要求を受信し、当該要求に基づいて第１端末が無認証条件を満たすか否かを特定して、無認証条件を満たすと第１端末に接続要求応答を送信して、第１端末が送信した接続要求に基づいて第１端末をＷＩ−ＦＩネットワークに接続させる。このようにすることにより、入力操作の不便な端末に、無認証の方法によってＷＩ−ＦＩネットワークに接続できるようにすることにより、接続の効率を改善できるし、操作の複雑性を低下させることができる。
【００１６】
以上の統括な記述と以下の細部記述は、ただ例示的なものであり、本発明を制限するものではないと、理解するべきである。
【図面の簡単な説明】
【００１７】
ここでの図面は、明細書中に含まれて本明細書の一部を構成するためのものであり、本発明に合致する実施形態を示すためのものであり、明細書と一緒に本発明の原理を説明する。
【図１】図１は、本発明に係る例示的な一実施形態のＷＩ−ＦＩネットワーク接続方法を示すフローチャートである。
【図２】図２は、本発明に係る例示的な一実施形態のＷＩ−ＦＩネットワーク接続方法を示すフローチャートである。
【図３】図３は、本発明に係る例示的な一実施形態のＷＩ−ＦＩネットワーク接続方法を示すフローチャートである。
【図４】図４は、本発明に係る例示的な一実施形態のＷＩ−ＦＩネットワーク接続装置を示すブロック図である。
【図５】図５は、本発明に係る例示的な一実施形態のＷＩ−ＦＩネットワーク接続装置を示すブロック図である。
【図６】図６は、本発明に係る例示的な一実施形態のＷＩ−ＦＩネットワーク接続装置を示すブロック図である。
【図７】図７は、本発明に係る例示的な一実施形態のＷＩ−ＦＩネットワーク接続装置を示すブロック図である。
【発明を実施するための形態】
【００１８】
本発明の目的、技術的解決策及び利点をさらに明確にするために、以下、図面を参照しながら本発明の実施形態をさらに詳しく説明する。
【００１９】
実施形態１
本発明に係る実施形態は、ＷＩ−ＦＩネットワーク接続方法を提供する。本実施形態の方法は、ネットワーク接続機器中で用いることができる。図１を参照すると、当該方法は、以下のステップを含む。
【００２０】
ステップ１０１において、第１端末が送信した無認証接続要求を受信し、無認証接続要求中に付加された端末ＩＤ（identification）に基づいて第１端末が無認証条件を満たすか否かを特定する。
【００２１】
ステップ１０２において、第１端末が無認証条件を満たす場合、第１端末に接続要求応答を送信する。
【００２２】
ステップ１０３において、第１端末が接続要求応答に基づいて送信した接続要求を受信し、接続要求に基づいて第１端末をＷＩ−ＦＩネットワークに接続させる。
【００２３】
本発明に係る実施形態によると、ネットワークに接続しようとする第１端末が送信した無認証接続要求を受信し、当該要求に基づいて第１端末が無認証条件を満たすか否かを特定して、無認証条件を満たす場合に第１端末に接続要求応答を送信して、第１端末が送信した接続要求に基づいて第１端末をＷＩ−ＦＩネットワークに接続させる。このようにすることにより、入力操作の不便な端末に、無認証の方法によってＷＩ−ＦＩネットワークに接続できるようにすることにより、接続の効率を改善できるし、操作の複雑性を低下させることができる。
【００２４】
実施形態２
本発明に係る実施形態は、ＷＩ−ＦＩネットワーク接続方法を提供する。本実施形態の方法は、端末中で用いることができる。図２を参照すると、当該方法は、以下のステップを含む。
【００２５】
ステップ２０１において、ネットワーク接続機器に、自端末の端末ＩＤが付加された無認証接続要求をブロードキャスティングする。
【００２６】
ステップ２０２において、ネットワーク接続機器によって無認証接続要求に基づいて自端末が無認証条件を満たすと特定された後にネットワーク接続機器によって送信された接続要求応答を受信する。
【００２７】
ステップ２０３において、接続要求応答に基づいてネットワーク接続機器に接続要求を送信して、ネットワーク機器に自端末をＷＩ−ＦＩネットワークに接続させるようにする。
【００２８】
本発明に係る実施形態によると、ブロードキャスティングの方法によって、ネットワーク接続機器に無認証接続要求を送信し、ネットワーク接続機器により無認証条件を満たすと判断された後に送信された接続要求応答を受信して、ネットワーク接続機器に接続要求を送信することにより、自端末をＷＩ−ＦＩネットワークに接続させる。このようにして、入力操作の不便な端末に、無認証の方法によってＷＩ−ＦＩネットワークに接続できるようにすることにより、接続の効率を改善できるし、操作の複雑性を低下させることができる。
【００２９】
実施形態３
本発明に係る実施形態は、ＷＩ−ＦＩネットワーク接続方法を提供する。図３を参照すると、当該方法は、以下のステップを含む。
【００３０】
ステップ３０１において、第１端末は、ネットワーク接続機器に、自端末の端末ＩＤが付加された無認証接続要求をブロードキャスティングする。
【００３１】
ここで、本発明に係る実施形態において、第１端末は、ネットワーク接続機器のＷＩ−ＦＩネットワークに接続しようとするＷＩ−ＦＩ端末である。第１端末は、起動された後、自分の無線モジュールによって、周期的に、無認証接続要求をブロードキャスティングする。
【００３２】
ステップ３０２において、ネットワーク接続機器は、第１端末が送信した無認証接続要求を受信し、無認証接続要求中に付加された端末ＩＤに基づいて第１端末が無認証条件を満たすか否かを特定する。
【００３３】
ここで、ネットワーク接続機器は、第１端末が送信した無認証接続要求を受信した際に、自機器の認定待ち端末リスト中に、当該無認証接続要求中に付加された端末ＩＤ、及び最初に無認証接続要求が受信された時間を記録する。最初に無認証接続要求が受信された時間を記録するのは、ユーザにより第１端末が無認証条件を満たすか否かを認定する際に、当該無認証接続要求の時間を、認定を支援する一つのパラメータとするためである。
【００３４】
オプションとして、ユーザは、認定権限を有する第２端末にログインしてネットワーク接続機器中の認定待ち端末リストをチェックして、当該リスト中から無認証接続条件を満たす端末を選定する。このため、ステップ３０１を実行する前に、以下のステップを実行する必要がある。
【００３５】
第２端末が、第１端末を無認証接続させるための認定権限を有するように設定する。
【００３６】
従って、第２端末を用いて第１端末が無認証条件を満たすか否かを認定する過程は、以下のステップによって実現してもよい。
【００３７】
ステップ３０２１において、第２端末が送信した、無認証接続させるための認定要求を受信する。
【００３８】
ステップ３０２２において、第２端末に第１端末の端末ＩＤが含まれた認定待ち端末リストを返送する。
【００３９】
ステップ３０２３において、第２端末が送信した、第２端末が選定した端末ＩＤが含まれた認定情報を受信する。
【００４０】
ステップ３０２４において、認定情報中に付加された第２端末が選定した端末ＩＤと無認証接続要求中に付加された端末ＩＤとが同一である場合、第１端末が無認証条件を満たすと認定する。
【００４１】
無認証条件を満たす端末が認定できた後に、ステップ３０３を実行する。
【００４２】
オプションとして、無認証条件を満たす端末が認定できた後に、さらに、ネットワーク接続機器によって管理されている、無認証に成功した端末を記録するためのもう一つの無認証端末リスト中に、無認証端末を追加してもよい。このようにして、無認証端末によって認定された端末は、当該端末がネットワークに接続する際に、二次的に認定され、接続のセキュリティ保証が増加される。このため、さらに、ステップ３０４を実行してもよい。ここで、ステップ３０３とステップ３０４とのタイミング関係に対しては、限定しない。
【００４３】
ステップ３０３において、第１端末が無認証条件を満たす場合、ネットワーク接続機器は第１端末に接続要求応答を送信する。
【００４４】
ここで、接続要求応答中にネットワーク接続機器のＩＤを付加して、第１端末に当該ＩＤに基づいて接続するようする。
【００４５】
ステップ３０４において、ネットワーク接続機器は、無認証端末リスト中に第１端末を記録し、第１端末の無認証端末リスト中の存続期間を設定する。
【００４６】
無認証端末リスト中に無認証条件を満たす端末の端末ＩＤ、及び当該端末の無認証端末リスト中の存続期間が記録される。
【００４７】
ここで、存続期間は、存続期間に達した際に、無認証端末リスト中から、記録されている無認証条件を満たす端末の端末ＩＤを削除することにより、存続期間を超えた端末の接続操作を禁止して、セキュリティを改善するためのものである。
【００４８】
このため、ネットワーク接続機器は、無認証端末リスト中に記録された無認証条件を満たす各々の端末の対応する存続期間に基づいて、当該リストを管理し、当該リストから存続期間に達した端末に対する記録を削除する。
【００４９】
従って、ステップ３０４の後に、さらに、以下のステップを実行する。
【００５０】
存続期間に達した際に、第１端末に対応する記録を無認証端末リスト中から削除する。
【００５１】
ステップ３０５において、第１端末は、ネットワーク接続機器が無認証接続要求に基づいて自端末が無認証条件を満たすと特定した後に送信した接続要求応答を受信する。
【００５２】
オプションとして、第１端末が情報を表示するための表示スクリーンを備える場合、当該表示スクリーンに、接続要求応答を送信したネットワーク接続機器のＩＤを表示することにより、ユーザに接続できる当該ネットワーク接続機器を通知して、ユーザに最終的に認定させる。ユーザによって認定命令がトリガされた場合に、ステップ３０６が実行される。
【００５３】
ステップ３０６において、第１端末は接続要求応答に基づいてネットワーク接続機器に接続要求を送信して、ネットワーク機器に自端末をＷＩ−ＦＩネットワークに接続させるようにする。
【００５４】
ここで、接続要求中には、認証情報が付加されていない。
【００５５】
ステップ３０７において、ネットワーク接続機器は、第１端末が接続要求応答に基づいて送信した接続要求を受信し、接続要求に基づいて第１端末をＷＩ−ＦＩネットワークに接続させる。
【００５６】
オプションとして、ステップ３０７において、第１端末をＷＩ−ＦＩネットワークに接続させる際に、第１端末に対して更なる検証を行う必要がある。
【００５７】
ステップ３０４で無認証端末リスト中に無認証条件を満たす端末が記録されるので、接続要求中に付加された端末ＩＤが当該リスト中に存在するか否かをチェックする。当該リスト中に存在する場合には、ＷＩ−ＦＩネットワークに接続させるための処理を実行し、存在しない場合には、ＷＩ−ＦＩネットワークに接続させるための処理の実行を拒絶する。
【００５８】
このため、ステップ３０７の実施形態は、ステップ３０７１〜ステップ３０７２によって実現できる。
【００５９】
ステップ３０７１において、第１端末が無認証端末リスト中に存在するか否かを特定する。
【００６０】
ステップ３０７２において、第１端末が無認証端末リスト中に存在する場合、接続要求に基づいて第１端末をＷＩ−ＦＩネットワークに接続させる。
【００６１】
本発明に係る実施形態によると、ネットワークに接続しようとする第１端末が送信した無認証接続要求を受信し、当該要求に基づいて第１端末が無認証条件を満たすか否かを特定して、無認証条件を満たすと第１端末に接続要求応答を送信して、第１端末が送信した接続要求に基づいて第１端末をＷＩ−ＦＩネットワークに接続させる。このようにすることにより、入力操作の不便な端末に、無認証の方法によってＷＩ−ＦＩネットワークに接続できるようにすることにより、接続の効率を改善できるし、操作の複雑性を低下させることができる。
【００６２】
実施形態４
本発明に係る実施形態は、ＷＩ−ＦＩネットワーク接続装置を提供する。図４を参照すると、当該装置は、
第１端末が送信した無認証接続要求を受信するための第１受信モジュール４０１と、
無認証接続要求中に付加された端末ＩＤに基づいて、第１端末が無認証条件を満たすか否かを特定するための特定モジュール４０２と、
第１端末が無認証条件を満たす場合、第１端末に接続要求応答を送信するための送信モジュール４０３と、
第１端末が接続要求応答に基づいて送信した接続要求を受信するための第２受信モジュール４０４と、
接続要求に基づいて第１端末をＷＩ−ＦＩネットワークに接続させるための接続モジュール４０５と
を備える。
【００６３】
ここで、装置は、
第２端末が、第１端末を無認証接続させるための認定権限を有するように設定するための設定モジュール４０６を、さらに備える。
【００６４】
従って、特定モジュール４０２は、
第２端末が送信した無認証接続させるための認定要求を受信するための第１受信ユニットと、
第２端末に、第１端末の端末ＩＤが含まれた認定待ち端末リストを返送するための送信ユニットと、
第２端末から送信された、第２端末が選定した端末ＩＤが含まれた認定情報を受信するための第２受信ユニットと、
認定情報中に付加された第２端末が選定した端末ＩＤと無認証接続要求中に付加された端末ＩＤとが同一である場合、第１端末が無認証条件を満たすと認定するための第１特定ユニットと
を備える。
【００６５】
ここで、装置は、
無認証端末リスト中に第１端末を記録し、第１端末の無認証端末リスト中の存続期間を設定するための記録モジュール４０７
を、さらに備える。
【００６６】
ここで、接続モジュール４０５は、
第１端末が無認証端末リスト中に存在するか否かを特定するための第２特定ユニットと、
第１端末が無認証端末リスト中に存在する場合、接続要求に基づいて第１端末をＷＩ−ＦＩネットワークに接続させるための接続ユニットと
を備える。
【００６７】
ここで、装置は
存続期間に達した場合、第１端末に対応する記録を無認証端末リスト中から削除するための削除モジュール４０８
を、さらに備える。
【００６８】
本発明に係る実施形態によると、ネットワークに接続しようとする第１端末が送信した無認証接続要求を受信し、当該要求に基づいて第１端末が無認証条件を満たすか否かを特定して、無認証条件を満たすと第１端末に接続要求応答を送信して、第１端末が送信した接続要求に基づいて第１端末をＷＩ−ＦＩネットワークに接続させる。このようにすることにより、入力操作の不便な端末に、無認証の方法によってＷＩ−ＦＩネットワークに接続できるようにすることにより、接続の効率を改善できるし、操作の複雑性を低下させることができる。
【００６９】
実施形態５
本発明に係る実施形態は、ＷＩ−ＦＩネットワーク接続装置を提供する。図５を参照すると、当該装置は、
ネットワーク接続機器に、自端末の端末ＩＤが付加された無認証接続要求をブロードキャスティングするためのブロードキャスティングモジュール５０１と、
ネットワーク接続機器が無認証接続要求に基づいて無認証条件を満たすと特定した後に送信した接続要求応答を受信するための第３受信モジュール５０２と、
接続要求応答に基づいてネットワーク接続機器に接続要求を送信して、ネットワーク機器に自端末をＷＩ−ＦＩネットワークに接続させるようにするための第２送信モジュール５０３と
を含む。
【００７０】
本発明に係る実施形態によると、ブロードキャスティングの方法によって、ネットワーク接続機器に無認証接続要求を送信し、ネットワーク接続機器により無認証条件を満たすと判断した後に送信された接続要求応答を受信して、ネットワーク接続機器に接続要求を送信することにより、自端末をＷＩ−ＦＩネットワークに接続させる。このようにして、入力操作の不便な端末に、無認証の方法によってＷＩ−ＦＩネットワークに接続できるようにすることにより、接続の効率を改善できるし、操作の複雑性を低下させることができる。
【００７１】
実施形態６
図６は、本発明に係る例示的な一実施形態のＷＩ−ＦＩネットワーク接続装置を示すブロック図である。例えば、装置１９００をネットワーク接続機器として提供してもよい。図６を参照すると、装置１９００は、プロセスアセンブリ１９２２を備える。当該プロセスアセンブリ１９２２は、一つ以上のプロセッサ、及びメモリ１９３２を代表とするメモリリソースを、さらに備える。当該メモリリソースは、プロセスアセンブリ１９２２によって実行される、例えばアプリケーションプログラムのような命令を保存する。メモリ１９３２中に保存されたアプリケーションプログラムには、それぞれ一つの命令のセットに対応する一つ以上のモジュールが含まれてもよい。なお、プロセスアセンブリ１９２２は、命令を実行することにより、上記のＷＩ−ＦＩネットワーク接続方法を実行する。
【００７２】
装置１９００は、装置１９００の電源を管理するための電源アセンブリ１９２６、装置１９００をネットワークに接続させるための有線又は無線のネットワークインターフェイス１９５０、及び、Ｉ／Ｏインターフェイス１９５８を備えてもよい。装置１９００は、メモリ１９３２に保存された、例えば、Ｗｉｎｄｏｗｓ Ｓｅｒｖｅｒ(登録商標)、Ｍａｃ ＯＳ Ｘ（登録商標）、Ｕｎｉｘ（登録商標）、 Ｌｉｎｕｘ（登録商標）、ＦｒｅｅＢＳＤ（登録商標）のようなオペレーティング・システムによって、操作を行うことができる。
【００７３】
本発明に係る実施形態によると、ネットワークに接続しようとする第１端末が送信した無認証接続要求を受信し、当該要求に基づいて第１端末が無認証条件を満たすか否かを特定して、無認証条件を満たす場合に第１端末に接続要求応答を送信して、第１端末が送信した接続要求に基づいて第１端末をＷＩ−ＦＩネットワークに接続させる。このようにすることにより、入力操作の不便な端末に、無認証の方法によってＷＩ−ＦＩネットワークに接続できるようにすることにより、接続の効率を改善できるし、操作の複雑性を低下させることができる。
【００７４】
実施形態７
図７は、例示的な一実施形態に係るＷＩ−ＦＩネットワーク接続装置７００を示すブロック図である。例えば、装置７００は、携帯電話、コンピューター、デジタルブロードキャスティング端末、メッセージ送受信デバイス、ゲームコンソール、タブレットデバイス、医療機器、フィットネス機器、パーソナルデジタルアシスタント等であってもよい。
【００７５】
図７を参照して、装置７００は、プロセスアセンブリ７０２、メモリ７０４、電源アセンブリ７０６、マルチメディアアセンブリ７０８、オーディオアセンブリ７１０、入出力（Ｉ／Ｏ）インターフェイス７１２、センサアセンブリ７１４、及び通信アセンブリ７１６のような一つ以上のアセンブリを含んでよい。
【００７６】
プロセスアセンブリ７０２は、一般的には装置７００の全体の動作を制御するものであり、例えば、表示、電話呼び出し、データ通信、カメラ動作、及び記録動作と関連する動作を制御する。プロセスアセンブリ７０２は、一つ以上のプロセッサ７２０を含み、これらによって命令を実行することにより、上記の方法の全部、或は一部のステップを実現するようにしてもよい。なお、プロセスアセンブリ７０２は、一つ以上のモジュールを含み、これらによってプロセスアセンブリ７０２と他のアセンブリの間のインタラクションを容易にするようにしてもよい。例えば、プロセスアセンブリ７０２は、マルチメディアモジュールを含み、これらによってマルチメディアアセンブリ７０８とプロセスアセンブリ７０２の間のインタラクションを容易にするようにしてもよい。
【００７７】
メモリ７０４は、各種類のデータを記憶することにより装置７００の動作を支援するように構成される。これらのデータの例は、装置７００において動作されるいずれのアプリケーションプログラム又は方法の命令、連絡対象データ、電話帳データ、メッセージ、画像、ビデオ等を含む。メモリ７０４は、いずれの種類の揮発性メモリ、不揮発性メモリ記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（ Ｐｒｏｇｒａｍｍａｂｌｅ ＲＯＭ）、ＲＯＭ（Ｒｅａｄ Ｏｎｌｙ Ｍｅｍｏｒｙ）、磁気メモリ、フラッシュメモリ、磁気ディスク、或いは光ディスクである。
【００７８】
電源アセンブリ７０６は、装置７００の多様なアセンブリに電力を供給する。電源アセンブリ７０６は、電源管理システム、一つ以上の電源、及び装置７００のための電力の生成、管理及び割り当てに関連する他のアセンブリを含んでもよい。
【００７９】
マルチメディアアセンブリ７０８は、前記装置７００とユーザの間に一つの出力インターフェイスを提供するスクリーンを含む。上記の実施形態において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或はスライドの動作の境界だけでなく、前記のタッチ、或はスライド操作に係る継続時間及び圧力も検出できる。上記の実施形態において、マルチメディアアセンブリ７０８は、一つのフロントカメラ、及び／又はリアカメラを含む。装置７００が、例えば撮影モード、或はビデオモード等の操作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【００８０】
オーディオアセンブリ７１０は、オーディオ信号を入出力するように構成されてもよい。例えば、オーディオアセンブリ７１０は、一つのマイク（ＭＩＣ）を含み、装置７００が、例えば呼出しモード、記録モード、及び音声認識モード等の操作モードにある場合、マイクは外部のオーディオ信号を受信することができる。受信されたオーディオ信号は、さらにメモリ７０４に記憶されたり、通信アセンブリ７１６を介して送信されたりされる。上記の実施形態において、オーディオアセンブリ７１０は、オーディオ信号を出力するための一つのスピーカーをさらに含む。
【００８１】
Ｉ／Ｏインターフェイス７１２は、プロセスアセンブリ７０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、起動ボタン、ロッキングボタンを含んでもよいが、これらに限定されない。
【００８２】
センサアセンブリ７１４は、装置７００に各方面の状態に対する評価を提供するための一つ以上のセンサを含む。例えば、センサアセンブリ７１４は、装置７００のＯＮ／ＯＦＦ状態、装置７００のディスプレイとキーパッドのようなアセンブリの相対的な位置決めを検出できる。また、例えば、センサアセンブリ７１４は、装置７００、或は装置７００の一つのアセンブリの位置変更、ユーザと装置７００とが接触しているか否か、装置７００の方位、又は加速／減速、装置７００の温度の変化を検出できる。センサアセンブリ７１４は、何れの物理的接触がない状態にて付近の物体の存在を検出するための近接センサを含んでもよい。センサアセンブリ７１４は、撮影アプリケーションに適用するため、ＣＭＯＳ、又はＣＣＤ画像センサのような光センサを含んでもよい。上記の実施形態において、当該センサアセンブリ７１４は、加速度センサ、ジャイロスコープセンサ、磁気センサ、圧力センサ、及び温度センサをさらに含んでもよい。
【００８３】
通信アセンブリ７１６は、装置７００と他の機器の間に有線、又は無線の通信を提供する。装置７００は、例えばＷｉＦｉ、２Ｇ、３Ｇ、或はこれらの組み合わせのような、通信規格に基づいた無線ネットワークに接続されてもよい。一つの例示的な実施形態において、通信アセンブリ７１６は、ブロードキャスティングチャンネルを介して外部のブロードキャスティング管理システムからのブロードキャスティング信号、又はブロードキャスティングに関連する情報を受信する。一つの例示的な実施形態において、前記通信アセンブリ７１６は、近距離無線通信（ＮＦＣ）モジュールをさらに含むことにより、近距離通信を推進するようにする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ（登録商標））技術、他の技術に基づいて実現できる。
【００８４】
例示的な実施形態において、装置７００は、一つ以上のＡＳＩＣ（Ａｐｐｌｉｃａｔｉｏｎ  Ｓｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記方法を実行する。
【００８５】
例示的な実施形態において、さらに、例えばメモリ７０４に含まれる命令を含むコンピュータ読取り可能な非一時的な記録媒体を提供しており、装置７００のプロセッサ７２０により上記命令を実行して上記方法を実現する。例えば、前記コンピュータ読取り可能な非一時的な記録媒体は、ＲＯＭ、ＲＡＭ、ＣＤ-ＲＯＭ、磁気テープ、フロッピー(登録商標)ディスク、光データ記憶デバイス等である。
【００８６】
本発明に係る実施形態によると、ブロードキャスティングの方法によって、ネットワーク接続機器に無認証接続要求を送信し、ネットワーク接続機器により無認証条件を満たすと判断した後に送信された接続要求応答を受信して、ネットワーク接続機器に接続要求を送信することにより、自端末をＷＩ−ＦＩネットワークに接続させる。このようにして、入力操作の不便な端末に、無認証の方法によってＷＩ−ＦＩネットワークに接続できるようにすることにより、接続の効率を改善できるし、操作の複雑性を低下させることができる。
【００８７】
当業者は、明細書を検討して本発明を実践した後、本発明の他の実施案を容易に考え出すことができる。本願は、本発明のいずれの変形、用途、又は適応的な変更をカバーすることを狙っているし、これらの変形、用途、又は適応的な変更は、本発明の一般的な原理に従い、また、本発明は公開していない当業界の公知の知識又は通常の技術手段を含む。明細書と実施形態はただ例示として考慮され、本発明の本当の範囲と精神は以下の特許請求の範囲に記載される。
【００８８】
本発明は上記に記述され、また図面で示した正確な構成に限定されず、その範囲を逸脱しない限り多様な置換えと変更を行うことができると、理解するべきである。本発明の範囲は添付の特許請求の範囲のみにより限定される。
【国際調査報告】
2016537904.tif 000010
2016537904.tif 000011
2016537904.tif 000012
2016537904.tif 000013